(57)【要約】【課題】レンズの光軸方向の位置調整を容易に行うことができると共に衝撃に対しても強いレンズ鏡筒および撮像装置を提供する。【解決手段】本発明のレンズ鏡筒１０は、レンズＬ３を保持するとともに、外周に第１の孔３１が設けられたレンズ保持枠３０と、前記レンズ保持枠３０の外周に配置され、周面に第１開口部１１０が設けられた保持枠固定筒１３と、第２の孔１３２が設けられ、前記第１開口部１１０に対して光軸方向に位置決めされて装着される位置調整部材１２０，１３０と、前記位置調整部材１２０，１３０の前記第２の孔１３２を貫通して前記第１の孔３１に挿入されることにより、前記レンズ保持枠３０の光軸方向の位置を規定する固定部材１４０と、を備え、前記第２の孔１３２は、前記位置調整部材１２０，１３０が前記第１開口部１１０に装着された際に前記第１開口部１１０の光軸方向の中心から偏心するように設けられていること、を特徴とする。【選択図】図５
2014160121.tif 000002
【特許請求の範囲】
【請求項１】
レンズを保持するとともに、外周に第１の孔が設けられたレンズ保持枠と、
前記レンズ保持枠の外周に配置され、周面に第１開口部が設けられた保持枠固定筒と、
第２の孔が設けられ、前記第１開口部に対して光軸方向に位置決めされて装着される位置調整部材と、
前記位置調整部材の前記第２の孔を貫通して前記第１の孔に挿入されることにより、前記レンズ保持枠の光軸方向の位置を規定する固定部材と、
を備え、
前記第２の孔は、前記位置調整部材が前記第１開口部に装着された際に前記第１開口部の光軸方向の中心から偏心するように設けられていること、
を特徴とするレンズ鏡筒。
【請求項２】
請求項１に記載のレンズ鏡筒であって、
前記位置調整部材は、
前記第１開口部に装着されるとともに、第２開口部が設けられた外枠部材と、
前記第２開口部に装着されるとともに、前記第２の孔が設けられている内枠部材と、を備え、
前記外枠部材における前記第２開口部の前記光軸方向の中心が、前記第１開口部の前記光軸方向の中心から第１の量、偏心している、または、
前記内枠部材における前記第２の孔の前記光軸方向の中心が、前記第２開口部の前記光軸方向の中心から第２の量、偏心している、
のうちの少なくとも一方であること、
を特徴とするレンズ鏡筒。
【請求項３】
請求項２に記載のレンズ鏡筒であって、
前記位置調整部材は、
前記外枠部材の偏心の前記第１の量は、前記内枠部材の偏心の前記第２の量よりも小さいこと、
を特徴とするレンズ鏡筒。
【請求項４】
請求項２または３に記載のレンズ鏡筒であって、
前記外枠部材の第２開口部の、前記光軸を中心とした周方向における中心は、前記第１開口部の前記周方向の中心から、前記第１の量と異なる第３の量、偏心し、
前記内枠部材の前記第２の孔の、前記周方向における中心は、前記第２開口部の前記周方向の中心から前記第２の量と異なる第４の量、偏心していること、
を特徴とするレンズ鏡筒。
【請求項５】
請求項２から４のいずれか１項に記載のレンズ鏡筒であって、
前記外枠部材と、前記内枠部材とは、それぞれ略矩形の外形を有すること、
を特徴とするレンズ鏡筒。
【請求項６】
請求項１から５のいずれか１項に記載のレンズ鏡筒であって、
前記第１開口部の前記光軸方向の内側面と、
前記位置調整部材の前記光軸方向の側面とは、面接触していること、
を特徴とするレンズ鏡筒。
【請求項７】
請求項１から６のいずれか１項に記載のレンズ鏡筒を備える撮像装置。
【発明の詳細な説明】
【技術分野】
【０００１】
本発明は、レンズ鏡筒および撮像装置に関するものである。
【背景技術】
【０００２】
レンズ鏡筒における結像光学系を構成するレンズの光軸方向の位置を規定する構成として、レンズを保持するレンズ保持枠と、そのレンズ保持枠を保持する固定部材との間にワッシャを挟み、レンズ枠と固定部材とをねじで螺合するものが知られている（特許文献１等参照）。
【０００３】
レンズの光軸方向の位置を規定する他の構成としては、レンズを保持するレンズ保持枠と固定部材双方の取り付け面を斜面としてレンズ保持枠を回転させることで斜面に沿ってレンズ保持枠を光軸方向に移動させる構成や、レンズ保持枠に偏心ピンを数カ所設けて固定部材に固定し、必要な調整量に応じて偏心ピンを回転させて調整する構成がある。
【先行技術文献】
【特許文献】
【０００４】
【特許文献１】特開平８−２１９３９号公報
【発明の概要】
【発明が解決しようとする課題】
【０００５】
しかしながら、ワッシャを用いる構成やレンズ保持枠を斜面で位置決めする構成では、レンズ保持枠を光軸方向のネジ等で固定するために、調整の都度、隣接する部材の取り外し等が必要となり、工数の増加や取り外しによる部品のキズ、損傷、ゴミの混入等の不具合を招く可能性がある。
また、偏心ピンを用いる構成では、レンズの光軸方向における位置調整はすべての偏心ピンを同じ角度回転させなければならないために極めて難しく、さらに、特にレンズ保持枠の質量が大きい場合には落下や振動などの衝撃による偏心ピンの不意な回転、変形が発生する虞がある。
【０００６】
本発明の課題は、レンズの光軸方向の位置調整を容易に行うことができると共に衝撃に対しても強いレンズ鏡筒および撮像装置を提供することである。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、レンズを保持するとともに、外周に第１の孔が設けられたレンズ保持枠と、前記レンズ保持枠の外周に配置され、周面に第１開口部が設けられた保持枠固定筒と、第２の孔が設けられ、前記第１開口部に対して光軸方向に位置決めされて装着される位置調整部材と、前記位置調整部材の前記第２の孔を貫通して前記第１の孔に挿入されることにより、前記レンズ保持枠の光軸方向の位置を規定する固定部材と、を備え、前記第２の孔は、前記位置調整部材が前記第１開口部に装着された際に前記第１開口部の光軸方向の中心から偏心するように設けられていること、を特徴とするレンズ鏡筒である。
請求項２に記載の発明は、請求項１に記載のレンズ鏡筒であって、前記位置調整部材は、前記第１開口部に装着されるとともに、第２開口部が設けられた外枠部材と、前記第２開口部に装着されるとともに、前記第２の孔が設けられている内枠部材と、を備え、前記外枠部材における前記第２開口部の前記光軸方向の中心が、前記第１開口部の前記光軸方向の中心から第１の量、偏心している、または、前記内枠部材における前記第２の孔の前記光軸方向の中心が、前記第２開口部の前記光軸方向の中心から第２の量、偏心している、のうちの少なくとも一方であること、を特徴とするレンズ鏡筒である。
請求項３に記載の発明は、請求項２に記載のレンズ鏡筒であって、前記位置調整部材は、前記外枠部材の偏心の前記第１の量は、前記内枠部材の偏心の前記第２の量よりも小さいこと、を特徴とするレンズ鏡筒である。
請求項４に記載の発明は、請求項２または３に記載のレンズ鏡筒であって、前記外枠部材の第２開口部の、前記光軸を中心とした周方向における中心は、前記第１開口部の前記周方向の中心から、前記第１の量と異なる第３の量、偏心し、前記内枠部材の前記第２の孔の、前記周方向における中心は、前記第２開口部の前記周方向の中心から前記第２の量と異なる第４の量、偏心していること、を特徴とするレンズ鏡筒である。
請求項５に記載の発明は、請求項２から４のいずれか１項に記載のレンズ鏡筒であって、前記外枠部材と、前記内枠部材とは、それぞれ略矩形の外形を有すること、を特徴とするレンズ鏡筒である。
請求項６に記載の発明は、請求項１から５のいずれか１項に記載のレンズ鏡筒であって、前記第１開口部の前記光軸方向の内側面と、前記位置調整部材の前記光軸方向の側面とは、面接触していること、を特徴とするレンズ鏡筒である。
請求項７に記載の発明は、請求項１から６のいずれか１項に記載のレンズ鏡筒を備える撮像装置である。
【０００９】
なお、符号を付して説明した構成は、適宜改良してもよく、また、少なくとも一部を他の構成物に代替してもよい。
【発明の効果】
【００１０】
本発明によれば、レンズの光軸方向の位置調整を容易に行うことができると共に衝撃に対しても強いレンズ鏡筒および撮像装置を提供できる。
【図面の簡単な説明】
【００１１】
【図１】本発明の一実施形態であるレンズ鏡筒をカメラ本体に装着して構成されたカメラの概念図である。
【図２】調整固定部を固定筒の外周側から見た平面図である。
【図３】調整固定部の断面図であり、（ａ）は図２におけるＡ−Ａ断面，（ｂ）は図２におけるＢ−Ｂ断面である。
【図４】調整固定部の構成要素を示し、（ａ）は固定筒の第１開口部，（ｂ）は外枠部材，（ｃ）は内枠部材である。
【図５】調整固定部によるレンズ群の位置調整を説明する図であり、（ａ）は外枠部材に内枠部材を装着した状態、（ｂ）は外枠部材，（ｃ）は内枠部材である。
【図６】本発明の第２実施形態である調整固定部を示す図であり、（ａ）は固定筒の外周側から見た平面図，（ｂ）は固定筒の第１開口部，（ｃ）は外枠部材，（ｄ）は内枠部材である。
【図７】（ａ）から（ｄ）は第２実施形態の調整固定部における調整量の変更の説明図である。
【図８】（ａ）から（ｄ）は第２実施形態の調整固定部における調整量の変更の説明図である。
【図９】（ａ）から（ｄ）は第２実施形態の調整固定部における調整量の変更の説明図である。
【図１０】（ａ）から（ｄ）は第２実施形態の調整固定部における調整量の変更の説明図である。
【発明を実施するための形態】
【００１２】
（第１実施形態）
以下、図面等を参照して、本発明の実施形態について説明する。
図１は、本発明の一実施形態であるレンズ鏡筒１０をカメラ本体２に装着して構成されたカメラ１の概念図である。
【００１３】
なお、以下の各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。このＺプラス方向を前面側、Ｚマイナス方向を背面側とも呼称する。さらに、光軸ＯＡ（すなわちＺ軸）と平行な方向の移動を「直進」、光軸ＯＡを中心とする回動を「回転」と呼称する。
【００１４】
カメラ１は、カメラ本体２と、レンズ鏡筒１０と、によって構成されている。レンズ鏡筒１０は、いわゆる交換レンズであって、その基端部に備えるレンズマウントＬＭが、カメラ本体２のボディマウントＢＭと係合することで、カメラ本体２に着脱可能に装着される。
【００１５】
カメラ本体２は、光像を電気信号に変換する撮像素子２Ａを備え、この撮像素子２Ａによる撮像データを画像処理して図示しない記録部に記録するいわゆるデジタル一眼レフカメラである。なお、本発明はデジタル一眼レフカメラに限定されるものではない。また、レンズ鏡筒がカメラ本体と一体に構成されたものに適用しても良い。
【００１６】
レンズ鏡筒１０は、焦点距離を可変調整可能ないわゆるズームレンズであって、外装外筒１１の内部に、撮影光学系を構成する複数のレンズ群（Ｌ１〜Ｌ４）と、図示しないが絞り等の光学要素を備えて構成されている。
外装外筒１１の外周には、ズーム操作環１２が回転可能に設けられており、連繋機構の詳細な説明は省略するが、このズーム操作環１２を回転操作することで、内装されたレンズ群Ｌ１，Ｌ２，Ｌ４が光軸ＯＡ方向（Ｚ軸方向）に各々所定量移動することで焦点距離が連続的に変化するようになっている。レンズ群Ｌ３は、移動しない固定レンズ群である。
【００１７】
レンズ鏡筒１０における外装外筒１１の内部には固定筒１３が固定され、その固定筒１３の内周側にはカム筒１４が回転可能且つ光軸ＯＡ方向には移動不能に配設されている。カム筒１４の内部には、レンズ群Ｌ２とレンズ群Ｌ３とが配設されている。
固定筒１３は、レンズ群Ｌ２の移動方向を案内する光軸ＯＡと平行な直進溝（図示せず）を備えている。カム筒１４は、レンズ群Ｌ２を移動操作するカム溝１４Ａを備えており、連動ピン１５を介してズーム操作環１２と連繋している。
【００１８】
レンズ群Ｌ２は、当該レンズ群Ｌ２を保持する保持枠部材２０の外周に突設されたカムフォロア２１を備えている。カムフォロア２１は、カム筒１４のカム溝を摺動移動可能に貫通して先端が固定筒１３の直進溝に摺動移動可能に嵌合している。これにより、ズーム操作環１２の操作によってカム筒１４が回転すると、レンズ群Ｌ２はカム筒１４のカム溝に操作されて固定筒１３の直進溝に沿って光軸ＯＡ方向（Ｚ軸方向）に移動するようになっている。
【００１９】
レンズ群Ｌ３は、前述したように、固定レンズ群であって、レンズ保持枠３０に保持されており、このレンズ保持枠３０を介して固定筒１３の内周に調整固定部１００によって固定されている。調整固定部１００は、周方向にたとえば３カ所設けられており固定筒１３の外周側からレンズ群Ｌ３の光軸ＯＡ方向における位置を調整して、固定筒１３に固定し得るように構成されている。
なお、カム筒１４は、回転してもこの調整固定部１００と干渉しないように逃げを備えた形状となっている。
【００２０】
つぎに、図２〜図５を参照して、このレンズ群Ｌ３を光軸ＯＡ方向において位置調整して固定する調整固定部１００について詳細に説明する。
図２は、調整固定部１００を固定筒１３の外周側から見た平面図である。
図３は、調整固定部１００の断面図であって、（ａ）は図２におけるＡ−Ａ断面に相当する光軸ＯＡを含む面で断面にした図，（ｂ）は図２におけるＢ−Ｂ断面に相当する光軸ＯＡと直交する面における断面を示す図である。
図４は、調整固定部１００の構成要素を示し、（ａ）は固定筒の第１開口部１１０，（ｂ）は外枠部材１２０，（ｃ）は内枠部材１３０である。
図５は、調整固定部１００によるレンズ群の位置調整を説明する図であり、（ａ）は外枠部材１２０に内枠部材１３０を装着した状態、（ｂ）は、外枠部材１２０，（ｃ）は内枠部材１３０である。
【００２１】
調整固定部１００は、固定筒１３に形成された第１開口部１１０と、第１開口部１１０に装着される外枠部材１２０と、外枠部材１２０に装着される内枠部材１３０と、レンズ群Ｌ３を保持するレンズ保持枠３０に内枠部材１３０を締着固定する固定ビス１４０と、により構成されている。
【００２２】
調整固定部１００は、固定筒１３の第１開口部１１０に装着された外枠部材１２０に、内枠部材１３０が装着され、さらにこの内枠部材１３０が固定ビス１４０でレンズ保持枠３０に締着されて、レンズ保持枠３０を固定筒１３に固定している。
すなわち、調整固定部１００は、固定ビス１４０によってレンズ保持枠３０に締着固定された内枠部材１３０および外枠部材１２０と、固定筒１３の第１開口部１１０と、の嵌合によって、光軸ＯＡ方向（Ｚ軸方向）における相対位置を規定して固定筒１３とレンズ保持枠３０とを固定する。
【００２３】
このような構成の調整固定部１００では、固定ビス１４０のレンズ保持枠３０への螺合位置（後述するレンズ保持枠３０における固定ネジ部３１の位置）を一定としたときに、外枠部材１２０の外形に対する内枠部材１３０の光軸ＯＡ方向（Ｚ軸方向）における位置を変位させると、その変位に対応してレンズ保持枠３０が固定筒１３に対して光軸ＯＡ方向（Ｚ軸方向）に変位する。
また、内枠部材１３０に対する固定ビス１４０の光軸ＯＡ方向（Ｚ軸方向）における位置を変位させると、同様にその変位に対応してレンズ保持枠３０が固定筒１３に対して光軸ＯＡ方向（Ｚ軸方向）に変位する。
両者を共に変位させると、レンズ保持枠３０の固定筒１３に対する光軸ＯＡ方向（Ｚ軸方向）の変位量は両者の変位を合算したものとなる。
【００２４】
すなわち、外枠部材１２０として、その外形に対する内枠部材１３０の光軸ＯＡ方向（Ｚ軸方向）における変位（以下これを外調整変位と呼ぶ）の量が異なるものを複数用意する。
そして、内枠部材１３０としてその中心に対する固定ビス１４０の光軸ＯＡ方向（Ｚ軸方向）における変位（以下これを内調整変位と呼ぶ）の量が異なるものを複数用意する。
そして、これらを適宜組み合わせることで、レンズ保持枠３０（レンズＬ３）の光軸ＯＡ方向（Ｚ軸方向）における位置を任意に調整して固定筒１３に固定することができる。
【００２５】
本実施形態では、外枠部材１２０と内枠部材１３０とで変位ピッチ（寸法刻み）が一桁（１／１０ｍｍと１／１００ｍｍ）異なって微調用と粗調用とに役割が分担されている。
外枠部材１２０は外調整変位が細かい変位量を担う微調用、内枠部材１３０は内調整変位が粗い変位量を担う粗調用に設定されている。
これにより、両者の組合せによって、少ない部品点数で微少な変位間隔で広い範囲の変位調整が可能となる。
【００２６】
詳しくは後述するが、たとえば、外枠部材１２０は変位量が０．０２ｍｍピッチで３種類用意し、内枠部材１３０は変位量が０．１ｍｍピッチで６種類用意する。
そして、それらの中から適宜選択して組合せることによって、レンズ保持枠３０の固定筒１３に対する光軸ＯＡ方向（Ｚ軸方向）における位置を、０〜０．５４ｍｍの範囲内において０．０２ｍｍピッチでの調整が可能となる。
【００２７】
外枠部材１２０および内枠部材１３０は、光軸ＯＡ方向（Ｚ軸方向）における向きを反転（１８０°回転）させると変位方向が逆転する。
このため、外枠部材１２０の３種類と内枠部材１３０の６種類の組合せで、０〜±０．５４ｍｍの範囲を０．０２ｍｍピッチで調整可能となる。
【００２８】
以下、調整固定部１００の構成要素を、順を追って詳細に説明する。
図４（ｂ）に示すように、固定筒１３に形成された第１開口部１１０は、光軸ＯＡ方向（Ｚ軸方向）を長辺方向とする矩形状であって、固定筒１３の内外周を貫通して形成されている。
第１開口部１１０の、光軸ＯＡ方向（Ｚ軸方向）において対向する内面は、後述する外枠部材１２０を位置決めする位置規制面１１１となっている。この両位置規制面１１１の間隔をＰとする。
また、第１開口部１１０の、光軸ＯＡ方向（Ｚ軸方向）と直交する周方向（図中Ｘ軸方向）において対向する内面は、後述する内枠部材１３０の周方向の移動を規制する位置規制面１１２となっている。この両位置規制面１１２の間隔をＴとする。
【００２９】
図４（ｂ）に示すように、外枠部材１２０は、固定筒１３における第１開口部１１０と対応する矩形の平面形状であって、固定筒１３の厚さと略等しい厚さを有する。
外枠部材１２０は、中央に内枠部材１３０が嵌合する第２開口部１２１が形成され、全体形状は枠状である。外枠部材１２０の長辺（Ｚ軸と平行な辺）の上面側には、後述する内枠部材１３０の押圧鍔１３１が載置される凹部１２２が形成されている。
【００３０】
外枠部材１２０の光軸ＯＡ方向（Ｚ軸方向）と直交する両外端面（すなわち短辺の外端面）は、位置決め面１２３となっている。その外枠部材１２０の光軸ＯＡ方向（Ｚ軸方向）における間隔（すなわち外枠部材１２０の長辺方向における長さ）：Ｐ’は、固定筒１３における第１開口部１１０の両位置規制面１１１の間隔：Ｐに対して、ガタ無く嵌合するはめあい寸法に設定されている。
これにより、外枠部材１２０は、固定筒１３の第１開口部１１０に嵌合すると、位置決め面１２３が位置規制面１１１に当接して面接触し、光軸ＯＡ方向（Ｚ軸方向）において位置決めされて、第１開口部１１０（すなわち固定筒１３）に装着されるようになっている。
【００３１】
外枠部材１２０に形成された第２開口部１２１は、外枠部材１２０の外形と略相似の光軸ＯＡ方向（Ｚ軸方向）に長い矩形状であって、外枠部材１２０をその厚さ方向に貫通している。
第２開口部１２１における、光軸ＯＡ方向（Ｚ軸方向）において対向する内面は、内枠部材１３０を位置決めする位置規制面１２４となっている。この両位置規制面１２４の間隔をＱとする。
【００３２】
ここで、外枠部材１２０は、外調整変位（外枠部材１２０の外形に対する内枠部材１３０の光軸ＯＡ方向における変位）量が所定の寸法間隔で設定された複数のものが用意される。
外調整変位は、外枠部材１２０の長辺方向における長さ：Ｐ’、および第２開口部１２１の位置規制面１２４の間隔：Ｑを一定とし、一方（Ｚ軸＋側）の短辺の幅：Ｒを変化させることで設定する。他方の短辺の幅：Ｒ’は、Ｐ’−（Ｑ＋Ｐ）、外調整変位量は、（Ｒ−Ｒ’）／２となる。
【００３３】
複数の外枠部材１２０は、たとえば、外調整変位が０〜０．０４ｍｍの範囲を網羅するように０．０２ｍｍピッチで３種類用意されるものとする。
つまり、
（１）  Ｒ＝Ｒ’  以下、これをＲ１として
（２）  Ｒ＝Ｒ１−０．０２かつＲ’＝Ｒ１＋０．０２
（３）  Ｒ＝Ｒ１−０．０４かつＲ’＝Ｒ１＋０．０４
にそれぞれ設定された３種類である。
なお、これは第２開口部１２１が光軸ＯＡ方向前面側（Ｚ軸＋方向）に変位する方向として表したものである。Ｒ＝Ｒ１−０．０６相当は上記（３）を、Ｒ＝Ｒ１−０．０８相当は上記（２）を、それぞれ１８０°回転させて後述する内枠部材１３０の変位量から減算する（Ｚ軸−方向変位させる）ように用いることで対応する。
【００３４】
図４（ｃ）に示すように、内枠部材１３０は、外枠部材１２０における第２開口部１２１と対応する矩形の平面形状で外枠部材１２０の厚さと略等しい厚さのブロック状である。
内枠部材１３０は、光軸ＯＡ方向（Ｚ軸方向）における略中央に固定ビス孔１３２を備え、光軸ＯＡと直交する方向（Ｘ軸方向）の両辺にはそれぞれ押圧鍔１３１が突設されている。
【００３５】
内枠部材１３０の光軸ＯＡ方向（Ｚ軸方向）における両側の外端面は位置決め面１３３となっており、内枠部材１３０の長辺方向における長さ：Ｑ’は、外枠部材１２０における第２開口部１２１の位置規制面１２４の間隔：Ｑに対して、ガタ無く嵌合するはめあい寸法に設定されている。
これにより、内枠部材１３０は、外枠部材１２０の第２開口部１２１に嵌合すると、位置決め面１３３が第２開口部１２１の位置規制面１２４に当接して、光軸ＯＡ方向（Ｚ軸方向）において位置決めされるようになっている。
【００３６】
また、押圧鍔１３１の光軸ＯＡ方向（Ｚ軸方向）と直交する周方向（図中Ｘ軸方向）の端面は、移動規制当接面１３４となっており、移動規制当接面１３４の間隔：Ｔ’は、第１開口部１１０における位置規制面１１２の間（間隔：Ｔ）に、周方向（図中Ｘ軸方向）に移動不能に嵌合するように設定されている。
【００３７】
ここで、内枠部材１３０は、内調整変位（内枠部材１３０に対する固定ビス１４０の光軸ＯＡ方向における変位）量が、所定の寸法間隔に設定された複数のものが用意される。
内調整変位は、内枠部材１３０の長辺方向における長さ：Ｑ’は一定とし、一方（Ｚ軸＋側）の位置決め面１３３から固定ビス孔１３２の中心まで寸法：Ｓを変化させることで設定する。他方の位置決め面１３３から固定ビス孔１３２の中心まで寸法：Ｓ’は、Ｑ’−Ｓ、内調整変位量は、（Ｓ’−Ｓ）／２となる。
【００３８】
複数の内枠部材１３０は、たとえば、内調整変位量が０〜０．５ｍｍの範囲を網羅するように０．１ｍｍピッチで６種類用意されるものとする。
つまり、
（１）  Ｓ＝Ｓ’  以下、これをＳ１として
（２）  Ｓ＝Ｓ１−０．１かつＳ’＝Ｓ１＋０．１
（３）  Ｓ＝Ｓ１−０．２かつＳ’＝Ｓ１＋０．２
（４）  Ｓ＝Ｓ１−０．３かつＳ’＝Ｓ１＋０．３
（５）  Ｓ＝Ｓ１−０．４かつＳ’＝Ｓ１＋０．４
（６）  Ｓ＝Ｓ１−０．５かつＳ’＝Ｓ１＋０．５
にそれぞれ設定された６種類である。
【００３９】
固定ビス１４０は、軸部１４１の一方の端に大径で操作溝を有する頭部１４２を備えると共に、他端にネジ部１４３を備えて形成されている。軸部１４１は、内枠部材１３０における固定ビス孔１３２にガタ無く嵌合する所定公差（はめあい）に形成されている。
固定ビス１４０は、内枠部材１３０における固定ビス孔１３２にその軸部１４１が嵌合して、ネジ部１４３がレンズ群Ｌ３を保持するレンズ保持枠３０の固定ネジ部３１（孔、ネジ孔）に螺合し、頭部１４２で内枠部材１３０をレンズ保持枠３０の外周面に押圧して固定する。
【００４０】
そして、調整固定部１００は、図２に示すように、外枠部材１２０が固定筒１３における第１開口部１１０に光軸ＯＡ方向（Ｚ軸方向）に位置決めされ、その外枠部材１２０の第２開口部１２１に内枠部材１３０が光軸ＯＡ方向（Ｚ軸方向）に位置決めされ、その内枠部材１３０が固定ビス孔１３２に挿通された固定ビス１４０でレンズ保持枠３０に固定される。
【００４１】
外枠部材１２０は、内枠部材１３０の押圧鍔１３１によって、脱落不能にレンズ保持枠３０に固定される。
内枠部材１３０は、押圧鍔１３１が外枠部材１２０の凹部１２２に対応して外枠部材１２０の脱落を防ぎ、その押圧鍔１３１の端面である移動規制当接面１３４は、第１開口部１１０における位置規制面１１２に当接して当該内枠部材１３０が固定されたレンズ保持枠３０の光軸ＯＡ方向（Ｚ軸方向）と直交する周方向（図中Ｘ軸方向）の移動（回転）を防ぐ。
【００４２】
つぎに、上記のように構成された調整固定部１００による、レンズ保持枠３０（レンズＬ３）の固定筒１３に対する光軸ＯＡ方向（Ｚ軸方向）における位置調整について説明する。
上記構成の調整固定部１００は、前述したように、外調整変位量が異なる複数の外枠部材１２０と、内調整変位量が異なる複数の内枠部材１３０と、の中から変位量を選択して組み合わせることで、レンズ保持枠３０の固定筒１３に対する光軸ＯＡ方向（Ｚ軸方向）における位置を調整できる。
【００４３】
前述したように、外枠部材１２０として外調整変位量が０．０２ｍｍピッチで３種類のコマが用意され、内枠部材１３０として内調整変位量が０．１ｍｍピッチで６種類のコマが用意される場合、それらのコマの中から適宜選択して組合せることによって、レンズ保持枠３０の固定筒１３に対する光軸ＯＡ方向（Ｚ軸方向）における位置を、０〜±０．５４ｍｍの範囲内において０．０２ｍｍピッチで調整できる。
【００４４】
図５は、第１開口部１１０のＺ軸方向中心に固定ネジ部３１が位置する標準位置：ＳＴから、レンズ保持枠３０を固定筒１３に対してＺ軸＋方向に０．５４ｍｍ変位させる例である。
図５の例では、（ｂ）に示すように、外調整変位量が０．０４ｍｍの外枠部材１２０をその変位方向をＺ軸＋方向として用いると共に、（ｃ）に示すように内調整変位量が０．５ｍｍの内枠部材１３０をその変位方向をＺ軸＋方向として用いる。
これにより、（ａ）に示すように、固定筒１３の第１開口部１１０に対して、固定ネジ部３１（レンズ保持枠３０）が、標準位置：ＳＴからＺ軸＋方向に０．５４ｍｍ変位して位置し、従って、レンズ保持枠３０は固定筒１３に対してＺ軸＋方向に０．５４ｍｍ変位した位置に固定される。
【００４５】
また、たとえば、レンズ保持枠３０を固定筒１３に対して標準位置：ＳＴから０．４８ｍｍＺ軸＋方向に変位させたい場合には、外調整変位量が０．０２ｍｍの外枠部材１２０を１８０°反転させて変位方向をＺ軸−方向として用いると共に、内調整変位量が０．５ｍｍの内枠部材１３０を用いれば良い。
さらに、レンズ保持枠３０を固定筒１３に対して標準位置：ＳＴからＺ軸−方向に変位させたい場合には、上記説明と逆にすれば良い。
【００４６】
なお、レンズ保持枠３０の位置調整時には、レンズ保持枠３０の固定ネジ部３１の位置に対して、外枠部材１２０の固定ビス孔１３２の位置が一致していない状態から、固定ビス孔１３２に挿通した固定ビス１４０のネジ部１４３の先端でレンズ保持枠３０の固定ネジ部３１を探って螺合させることによってレンズ保持枠３０を移動させる。
このため、図示しないが、ネジ部１４３の固定ネジ部３１への螺合を容易とするように、固定ビス１４０におけるネジ部１４３の先端を先細りのテーパ状とすることが望ましい。
【００４７】
以上、説明したように、調整固定部１００は、外枠部材１２０の外調整変位量と、内枠部材１３０の内調整変位量との組合せによって、レンズ保持枠３０（レンズＬ３）の固定筒１３に対する光軸ＯＡ方向（Ｚ軸方向）における位置を調整して固定することができる。
【００４８】
なお、調整固定部１００全体の調整範囲や、外枠部材１２０における外調整変位量のピッチ、および、内枠部材１３０における内調整変位量のピッチは、上記実施形態に限定されることなく適宜設定可能である。
また、外枠部材１２０と内枠部材１３０の変位調整量の粗調と微調の分担を、逆に設定しても良い。つまり、外枠部材１２０を外調整変位量のピッチが粗い粗調用とし、内枠部材１３０を内調整変位量のピッチが細かく微調用とする。
さらに、用意する外枠部材１２０および内枠部材１３０の数も、本実施形態の例に限定されることなく任意に設定可能である。
【００４９】
調整固定部１００は、前述したように、レンズ鏡筒１０（固定筒１３）の周上に３ヵ所設けられ、レンズＬ３の光軸ＯＡ方向（Ｚ軸方向）における位置調整の際には、３ヵ所に同一寸法のコマ（外枠部材１２０，内枠部材１３０）を組み替えて使用する。
また、３ヵ所に寸法の異なるコマ（外枠部材１２０，内枠部材１３０）を選択することで、レンズＬ３のチルト調芯や、部品の加工精度により発生するレンズＬ３の傾き補正を行うことも可能である。
【００５０】
（第２実施形態）
つぎに、図６〜図１０に示す本発明の第２実施形態について説明する。
図６は、調整固定部２００を示し、（ａ）は固定筒の外周側から見た平面図，（ｂ）は固定筒の第１開口部２１０，（ｃ）は外枠部材２２０，（ｄ）は内枠部材２３０である。図７〜１０は、外枠部材２２０Ｂおよび内枠部材２３０Ｂを回転させて行う調整量の変更の説明図である。
なお、この調整固定部２００は、前述した第１実施形態と同様のカメラ（レンズ鏡筒）に適用されるが、同じ構成要素には同符号を付して説明は省略する。
【００５１】
図６に示す調整固定部２００は、固定筒１３に形成された第１開口部２１０と、第１開口部２１０に装着される外枠部材２２０と、外枠部材２２０に装着される内枠部材２３０と、レンズ群Ｌ３を保持するレンズ保持枠３０に内枠部材２３０を締着固定する固定ビス２４０と、により構成されている。
【００５２】
本構成の調整固定部２００は、外枠部材２２０を第１開口部２１０に９０°ピッチで周方向に回転させて装着することができると共に、内枠部材２３０を外枠部材２２０に９０°ピッチで周方向に回転させて装着することができるように構成されている。
これにより、１つの外枠部材２２０及び１つの内枠部材２３０によってＺ軸方向に１６通りの変位調整量を得ることができるようになっている。
なお、外枠部材２２０と内枠部材２３０の変位調整量の粗調と微調の分担は、前述した第１実施形態と同様に、外枠部材２２０が微調用、内枠部材２３０が粗調用である。
【００５３】
図６（ｂ）に示すように、固定筒１３に形成された第１開口部２１０は、光軸ＯＡ方向（Ｚ軸方向）と直交する周方向（図中Ｘ軸方向）を長辺方向とする矩形状に形成されている。
第１開口部２１０における、光軸ＯＡ方向（Ｚ軸方向）に対向する内面は、外枠部材２２０を位置決めする位置規制面２１１となっている。この両位置規制面２１１の間隔をＰとする。第１開口部２１０のＸ軸方向（長辺方向）に対向する内面は、位置規制面２１２となっている。この位置規制面２１２の間隔をＴとする。
また、位置規制面２１１が形成された辺の周縁部分の上面には、内枠部材２３０の押圧鍔２３１が遊嵌する逃げ凹部２１３が形成されている。
【００５４】
図６（ｃ）に示すように、外枠部材２２０は、固定筒１３における第１開口部２１０の対向する位置規制面２１１の間隔を一辺とする正方形の角部が面取りされた平面形状であって、中央に内枠部材２３０が嵌合する第２開口部２２１を備えている。
外枠部材２２０の各辺の上面側には、それぞれ後述する内枠部材２３０の押圧鍔２３１が遊嵌する凹部２２２が形成されている。
【００５５】
外枠部材２２０の各辺の外端面は、それぞれ位置決め面２２３となっており、同一方向において対となる位置決め面２２３の間隔：Ｐ’は、第１開口部２１０の両位置規制面２１１の間隔：Ｐに対して、それぞれガタ無く嵌合するはめあい寸法に設定されている。
これにより、外枠部材２２０は、固定筒１３の第１開口部２１０に嵌合すると、位置決め面２２３が位置規制面２１１に当接して光軸ＯＡ方向（Ｚ軸方向）において位置決めされて、第１開口部２１０（すなわち固定筒１３）に装着されるようになっている。外枠部材２２０は、位置決め面２２３の対を直交する２方向において備えるため、９０°ピッチで回転させて第１開口部２１０に装着することができる。
【００５６】
外枠部材２２０における第２開口部２２１は、外枠部材２２０の外形と略相似の正方形状であって、その光軸ＯＡ方向（Ｚ軸方向）において対向する内面は、それぞれ内枠部材２３０を位置決めする位置規制面２２４となっている。この両位置規制面１２４の間隔をＱとする。
【００５７】
ここで、外枠部材２２０は、その外枠の幅(位置決め面２２３と位置規制面２２４との距離)が、４辺で全て異なっている。ここで、４辺の幅を図６（ｃ）に示すように、ａ，ｂ，ｃ，ｄとする。ａ，ｂ，ｃ，ｄは全て異なる幅（長さ）である。
なお、ｃ＝Ｐ’−（ａ+Ｑ），ｄ＝Ｐ’−（ｂ+Ｑ）である。
【００５８】
また、図６（ｄ）に示すように、内枠部材２３０は、外枠部材２２０における第２開口部２２１と対応する正方形の平面形状であって、厚さ方向に貫通する固定ビス孔２３２を備え、周囲の４辺にはそれぞれ押圧鍔２３１が突設されている。押圧鍔２３１の端面の間隔：Ｔ’は、第１開口部２１０における位置規制面２１２の間（間隔：Ｔ）に、周方向（図中Ｘ軸方向）に移動不能に嵌合するように設定されている。
【００５９】
内枠部材２３０の周囲４辺の外端面はそれぞれ位置決め面２３３となっており、同一方向において対となる位置決め面２３３の間隔：Ｑ’は、外枠部材２２０における第２開口部２２１の位置規制面２２４の間隔：Ｑに対して、ガタ無く嵌合するはめあい寸法に設定されている。
また、押圧鍔２３１の光軸ＯＡ方向の端面は、移動規制当接面２３４となっており、同一方向における移動規制当接面２３４の間隔：Ｔ’は、第１開口部１１０における位置規制面１１２の間（間隔：Ｔ）に、周方向（図中Ｘ軸方向）に移動不能に嵌合するように設定されている。
【００６０】
これにより、内枠部材２３０は、外枠部材２２０の第２開口部２２１に嵌合すると、位置決め面２３３が第２開口部２２１の位置規制面２２４に当接して、光軸ＯＡ方向（Ｚ軸方向）において位置決めされる。内枠部材２３０は、位置決め面２３３の対を直交する２方向において備えており、９０°ピッチで回転させて外枠部材２２０における第２開口部２２１に装着することができるようになっている。また、押圧鍔２３１の周方向（図中Ｘ軸方向）における移動規制当接面２３４は、第１開口部１１０における対向する位置規制面１１２にそれぞれ当接する。
【００６１】
ここで、内枠部材２３０、図６（ｄ）に示すように、固定ビス孔２３２の中心Ｏは、４つの移動規制ら当接面２３４からは等間隔（Ｔ’／２）の位置であるが、４つの位置決め面２３３からは異なる位置にある。
図示するように、固定ビス孔１３２の中心Ｏの１つ目の位置決め面２３３からは距離Ａ、２つ目の位置決め面２３３からは距離Ｂ、３つ目の位置決め面２３３からは距離Ｃ、４つ目の位置決め面２３３からは距離Ｄとする。Ａ，Ｂ，Ｃ，Ｄは全て異なる距離(長さ)である。
なお、Ｃ＝Ｑ’−Ａ，Ｄ＝Ｑ’−Ｂである。
【００６２】
図７は、外枠部材２２０における幅ａの辺が、Ｚプラス方向にくるように配置した場合を示す図である。
【００６３】
図７（ａ）は、固定ビス孔１３２の中心Ｏから位置決め面２３３までの距離がＡである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ａ+Ａ
となる。
【００６４】
図７（ｂ）は、固定ビス孔１３２の中心Ｏから位置決め面２３３までの距離がＢである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ａ+Ｂ
となる。
【００６５】
図７（ｃ）は、固定ビス孔１３２の中心Ｏから位置決め面２３３までの距離がＣである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ａ+Ｃ
となる。
【００６６】
図７（ｄ）は、固定ビス孔１３２の中心Ｏから位置決め面２３３までの距離がＤである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ａ+Ｄ
となる。
【００６７】
図８は、外枠部材２２０における幅ｂの辺が、Ｚプラス方向にくるように配置した場合を示す図である。
【００６８】
図８（ａ）は、固定ビス孔１３２の中心Ｏから位置決め面２３３までの距離がＡである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｂ+Ａ
となる。
【００６９】
図８（ｂ）は、固定ビス孔１３２の中心Ｏから位置決め面２３３までの距離がＢである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｂ+Ｂ
となる。
【００７０】
図８（ｃ）は、固定ビス孔１３２の中心Ｏから位置決め面２３３までの距離がＣである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｂ+Ｃ
となる。
【００７１】
図８（ｄ）は、固定ビス孔１３２の中心Ｏから位置決め面２３３までの距離がＤである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｂ+Ｄ
となる。
【００７２】
図９は、外枠部材２２０における幅ｃの辺が、Ｚプラス方向にくるように配置した場合を示す図である。
【００７３】
図９（ａ）は、固定ビス孔１３２の中心Ｏから位置決め面２３３までの距離がＡである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｃ+Ａ
となる。
【００７４】
図９（ｂ）は、固定ビス孔１３２の中心Ｏから位置決め面２３３までの距離がＢである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｃ+Ｂ
となる。
【００７５】
図９（ｃ）は、固定ビス孔１３２の中心Ｏから位置決め面２３３までの距離がＣである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｃ+Ｃ
となる。
【００７６】
図９（ｄ）は、固定ビス孔１３２の中心Ｏから位置決め面２３３までの距離がＤである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｃ+Ｄ
となる。
【００７７】
図１０は、外枠部材２２０における幅ｄの辺が、Ｚプラス方向にくるように配置した場合を示す図である。
【００７８】
図１０（ａ）は、固定ビス孔１３２の中心Ｏから位置決め面２３３までの距離がＡである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｄ+Ａ
となる。
【００７９】
図１０（ｂ）は、固定ビス孔１３２の中心Ｏから位置決め面２３３までの距離がＢである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｄ+Ｂ
となる。
【００８０】
図１０（ｃ）は、固定ビス孔１３２の中心Ｏから位置決め面２３３までの距離がＣである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｄ+Ｃ
となる。
【００８１】
図１０（ｄ）は、固定ビス孔１３２の中心Ｏから位置決め面２３３までの距離がＤである側が、Ｚプラス側となるように、内枠部材２３０を外枠部材２２０の第１開口部２１０内に配置した場合を示す図である。
この場合、固定ビス孔１３２の中心Ｏの、位置規制面２１１からの距離は
ｄ+Ｄ
となる。
【００８２】
すなわち、１つの外枠部材２２０及び１つの内枠部材２３０によって、Ｚプラス側の位置規制面２１１からの固定ビス孔２３２の中心Ｏの光軸ＯＡ方向の距離は、
ａ+Ａ，ａ+Ｂ，ａ+Ｃ，ａ+Ｄ，
ｂ+Ａ，ｂ+Ｂ，ｂ+Ｃ，ｂ+Ｄ，
ｃ+Ａ，ｃ+Ｂ，ｃ+Ｃ，ｃ+Ｄ，
ｄ+Ａ，ｄ+Ｂ，ｄ+Ｃ，ｄ+Ｄ，
の１６通り選択可能となる。
【００８３】
そして、調整固定部２００は、図６（ａ）に示すように、外枠部材２２０が固定筒１３における第１開口部２１０に光軸ＯＡ方向（Ｚ軸方向）に位置決めされ、その外枠部材２２０の第２開口部２２１に内枠部材２３０が光軸ＯＡ方向（Ｚ軸方向）に位置決めされ、その内枠部材２３０が固定ビス孔２３２に挿通された固定ビス２４０でレンズ保持枠３０に固定される。
【００８４】
以上説明したように、調整固定部２００は、外枠部材２２０は直交する２つの方向に４つの外調整変位量を有すると共に第１開口部２１０に９０°ピッチで周方向に回転させて装着することができ、内枠部材２３０は直交する２つの方向に４つの内調整変位量を有すると共に外枠部材２２０に９０°ピッチで周方向に回転させて装着することができる。
これにより、１つの外枠部材２２０または内枠部材２３０によって１６段階の変位調整量を得ることができ、レンズ保持枠３０（レンズＬ３）の位置調整に際して用意する外枠部材２２０および内枠部材２３０の数を削減することができる。
【００８５】
以上、本実施形態によると、以下の効果を有する。
（１）本実施形態の調整固定部１００は、固定筒１３の第１開口部１１０に装着された外枠部材１２０に、内枠部材１３０が装着され、さらにこの内枠部材１３０が固定ビス１４０でレンズ保持枠３０に締着されて、レンズ保持枠３０を固定筒１３に固定している。
これにより、固定筒１３の外周側からその内周側に位置するレンズ保持枠３０を位置調整して固定筒１３に固定することができる。その結果、極めて作業性が良く容易に位置調整を行うことができ、また、光軸方向のネジ等で固定する場合のように隣接する部材の取り外しによる工数の増加やキズ、損傷、ゴミの混入等の不具合の発生を抑制できる。
【００８６】
（２）本実施形態によれば、調整固定部１００，２００は、外枠部材１２０，２２０の外調整変位と、内枠部材１３０，２３０の内調整変位とを合算した量、レンズ保持枠３０を固定筒１３に対して変位させる。外枠部材１２０，２２０は外調整変位量のピッチが微少な微調用、内枠部材１３０，２３０は内調整変位量のピッチが粗い粗調用として、変位量が分担されている。このため、両者の組合せによって、少ない部品点数で微少な変位間隔で広い範囲の変位調整を行うことができる。
【００８７】
（２）外枠部材１２０，２２０は矩形に形成されて固定筒１３の第１開口部１１０に光軸ＯＡ方向において位置決め面１２３，２２３で当接し、内枠部材１３０，２３０は矩形に形成されて外枠部材１２０，２２０の第２開口部１２１，２２１に光軸ＯＡ方向において位置決め面１３３，２３３で当接する。
このため、レンズ保持枠３０と固定筒１３とを強固に固定でき、衝撃の作用等によっても位置ズレを生じ難く光学性能を安定して維持することができる。
【００８８】
（３）第２実施形態における調整固定部２００は、外枠部材２２０および内枠部材２３０はそれぞれ直交する２つの方向に異なる調整変位量を備え、外枠部材２２０を第１開口部２１０に９０°ピッチで周方向に回転させて装着することができると共に、内枠部材２３０を外枠部材２２０に９０°ピッチで周方向に回転させて装着することができる。
これにより、１つの外枠部材２２０または内枠部材２３０によって１６通りの変位調整量を得ることができ、位置調整に係る部品点数の一層の削減が可能となり、コスト低減にも寄与できる。
【００８９】
（変形形態）
以上、説明した実施形態に限定されることなく、以下に示すような種々の変形や変更が可能であり、それらも本発明の範囲内である。
（１）本実施形態における調整固定部は、外枠部材に対して内枠部材が嵌合しており、両者の調整変位量の合算でレンズ保持枠３０を固定筒１３に対して変位調整するように構成されている。しかし、部品点数は増加するものの、調整変位を有する１種類の調整コマによって構成することも可能である。
【００９０】
（２）本実施形態では、外枠部材および内枠部材は、矩形に形成されて反転または９０°毎に回転させて使用可能に構成されている。しかし、外枠部材および内枠部材は、光軸ＯＡ方向において面で当接して位置決めできる形状であれば、矩形に限らず他の形状としても良い。５角形以上の多角形とすれば、より多くの方向に異なる調整変位量を備えるように構成することもできる。
【００９１】
（３）上記実施形態は、固定筒の内部にレンズ保持枠が固定する例であるが、レンズ保持枠を固定する部材は固定筒に限らず、可動筒であっても良い。
なお、実施形態及び変形形態は、適宜組み合わせて用いることもできるが、詳細な説明は省略する。また、本発明は以上説明した実施形態によって限定されることはない。
【符号の説明】
【００９２】
Ｌ３：レンズ、１０：レンズ鏡筒、１３：固定筒、３０：レンズ保持枠、３１：固定ネジ部、１１０：第１開口部、１２０：外枠部材、１２１：第２開口部、１３０：内枠部材、１３０：固定筒、１３１：押圧鍔、１３２：固定ビス孔、１４０：固定ビス、２１０：第１開口部、２１３：凹部、２２０：外枠部材、２２１：第２開口部、２２２：凹部、２３０：内枠部材、２３１：押圧鍔、２３２：固定ビス孔、２４０：固定ビス
【図１】
2014160121.tif 000003
【図２】
2014160121.tif 000004
【図３】
2014160121.tif 000005
【図４】
2014160121.tif 000006
【図５】
2014160121.tif 000007
【図６】
2014160121.tif 000008
【図７】
2014160121.tif 000009
【図８】
2014160121.tif 000010
【図９】
2014160121.tif 000011
【図１０】
2014160121.tif 000012